(57)【要約】【課題】簡単な構成で窓から画像取得手段に入る外光の影響を受けること無く、挙動異常の判定ができる異常監視装置を提供する。【解決手段】乗りかご位置検出手段3の位置情報で、乗りかごの窓2Eが乗り場の窓2Gと対向しているときには判定禁止信号を出力し、窓2Eが窓2Gと対向していないときには判定禁止信号を出力しない判定許可手段5Dを設け、異常判定手段5Bは、判定禁止信号を出力しているときは挙動異常の判定を行わず、判定禁止信号を出力していないときに挙動異常の判定を行う構成になっている。【選択図】図２
2015129043.tif 000002
【特許請求の範囲】
【請求項１】
乗りかごのドアと乗り場のドアにそれぞれ窓を有し、
昇降路内での前記乗りかごの走行位置を検出する乗りかご走行位置検出手段と、
前記乗りかごの窓が視野に入るように設置されて乗りかご内の画像を取得する画像取得手段と、
前記画像取得手段により取得した画像から乗りかご内の乗客の挙動を解析して挙動異常を判定する異常判定手段を備え、
前記乗りかご走行位置検出手段からの走行位置情報に基づいて、前記乗りかごの窓が乗り場の窓と対向していないときに、前記異常判定手段により挙動異常を判定することを特徴とするエレベータの異常監視装置。
【請求項２】
請求項１に記載のエレベータの異常監視装置において、
前記乗りかご走行位置検出手段からの走行位置情報に基づいて、前記乗りかごの窓が乗り場の窓と対向しているときに判定禁止信号を出力し、前記乗りかごの窓が乗り場の窓と対向していないときには前記判定禁止信号を出力しないで、前記異常判定手段で挙動異常の判定を許可する判定許可手段を設け、
前記異常判定手段は、前記判定許可手段が前記判定禁止信号を出力してときには挙動異常の判定を行わず、前記判定許可手段が前記判定禁止信号を出力していないときに挙動異常の判定を行うことを特徴とするエレベータの異常監視装置。
【請求項３】
請求項１または２に記載のエレベータの異常監視装置において、
前記異常判定手段で挙動異常の判定が行われると、前記乗りかごを最寄階に停止して、前記乗りかごのドアと乗り場のドアを開放することを特徴とするエレベータの異常監視装置。
【請求項４】
請求項１ないし３のいずれか１項に記載のエレベータの異常監視装置において、
さらに報知手段を前記乗りかご内に設置して、前記異常判定手段で挙動異常の判定が行われると、前記報知手段を通して前記乗りかご内の乗客に挙動異常を報知することを特徴とするエレベータの異常監視装置。
【請求項５】
請求項４に記載のエレベータの異常監視装置において、
さらに報知手段を前記乗り場にも設置して、前記乗りかご内の報知手段と乗り場の報知手段で挙動異常を報知することを特徴とするエレベータの異常監視装置。
【発明の詳細な説明】
【技術分野】
【０００１】
本発明は、エレベータの異常監視装置に関するものである。
【背景技術】
【０００２】
エレベータ乗りかご内での犯罪は増加傾向にあり、犯罪の事例として乗りかご内での器物破損や他者への暴力行為などがある。犯罪防止策として、乗りかご内への防犯カメラ（以下、カメラと略記する）の設置は効果的であり、設置台数も増加傾向にある。
【０００３】
カメラ自体は事後対応型商品であるが、カメラの画像を解析して、乗りかご内の乗客の挙動異常を検知し、警報アナウンスやエレベータの最寄階停止などを行う即時対応型防犯装置も設置されている。
【０００４】
この即時対応型防犯装置に関して、乗りかご内の乗客の挙動をカメラで監視して、乗客の挙動が異常であると判定すると、乗りかご内での注意喚起の音声アナウンスや警告表示、最寄階停止などを行って犯罪の抑止を図ることが、特開２００７−２３０７３２号公報（特許文献１）に開示されている。
【０００５】
また、防犯目的で乗りかご側のドアと乗り場側のドアにガラス窓が設けられており、それら窓が視野に入るようにカメラが設置されている場合、乗りかごの走行中に乗りかご側の窓が乗り場側の窓と対向した（重なった）ときに、外光が窓を通して乗りかご内に入り、カメラによる監視に支障が出る。
【０００６】
この問題を解決するために、カメラと窓にそれぞれ偏光フィルタを設置して、窓からカメラに入る外光を弱めることが、特開２００８−１９５４９５号公報（特許文献２）に開示されている。
【先行技術文献】
【特許文献】
【０００７】
【特許文献１】特開２００７−２３０７３２号公報
【特許文献２】特開２００８−１９５４９５号公報
【発明の概要】
【発明が解決しようとする課題】
【０００８】
特許文献１には、ドアに窓を設けた場合の窓を通しての外光によるカメラへの悪影響について考慮されていない。また、外光による悪影響を避けるために窓が視野に入らないようにカメラを乗りかご内に配置することも考えられるが、そうするとカメラの撮影範囲が狭くなり、挙動異常の検知ミス（見逃し）が増加するという問題がある。
【０００９】
特許文献２は、カメラと窓に偏光フィルタを設置して、窓からカメラに入る外光を弱める技術であるため、カメラの撮影範囲の中央部分（主に窓の部分）が光学的に影響を受け、カメラの録画が正常に行われないという問題があった。
【００１０】
これに対処するには、窓の部分に対応する領域を画像処理の対象から外すなどのマスク処理が別途必要であった。しかし、マスク処理を施せば取得できる画像領域が狭くなり、挙動異常の検知ミス（見逃し）が増加するという問題がある。
【００１１】
本発明は、前述の問題点を考慮してなされたもので、簡単な構成で画像取得手段に入る外光の影響を受けること無く、挙動異常の判定ができるエレベータの異常監視装置を提供することにある。
【課題を解決するための手段】
【００１２】
前記目的を達成するために本発明は、
乗りかごのドアと乗り場のドアにそれぞれ窓を有し、
昇降路内での前記乗りかごの走行位置を検出する乗りかご走行位置検出手段と、
前記乗りかごの窓が視野に入るように設置されて乗りかご内の画像を取得する画像取得手段と、
前記画像取得手段により取得した画像から乗りかご内の乗客の挙動を解析して挙動異常を判定する異常判定手段を備え、
前記乗りかご走行位置検出手段からの走行位置情報に基づいて、前記乗りかごの窓が乗り場の窓と対向していないときに、前記異常判定手段により挙動異常を判定することを特徴とする。
【発明の効果】
【００１３】
本発明によれば、簡単な構成で窓から画像取得手段に入る外光の影響を受けること無く、挙動異常の判定ができる。
【図面の簡単な説明】
【００１４】
【図１】本発明の実施形態に係るエレベータの全体構成図である。
【図２】そのエレベータに設置される異常監視装置のブロック図である。
【発明を実施するための形態】
【００１５】
以下、本発明の実施形態に係るエレベータの異常監視装置を図面に基づいて説明する。図１はエレベータの全体構成図、図２はそのエレベータに設置される異常監視装置のブロック図である。  
図１に示すように、エレベータの昇降路１内に乗りかご２と釣り合い錘１Ａが、複数のプーリ１Ｅとシーブ１Ｄを介してロープ１Ｂで連結されている。エレベータ運行制御装置（以下、運行制御装置と略記する）３はモータ１Ｃを介してシーブ１Ｄを回転制御することにより、ロープ１Ｂを介して乗りかご２と釣り合い錘１Ａを上下に走行させて、乗客（図示せず）を所望の階に運搬する。
【００１６】
モータ１Ｃに連結されたロータリエンコーダ１Ｆは、モータ１Ｃの回転により発生したパルス信号を運行制御装置３に入力し、そのパルス信号から昇降路１内の乗りかご２の走行位置を算出して、エレベータの運行制御を行っている。
【００１７】
走行中乗りかご２内は閉空間となることから、防犯のため、乗りかご２のかごドア２Ｄと各乗り場の乗場ドア２Ｆには、窓２Ｅと窓２Ｇが設けられている。図１に示すように、乗りかご２が乗り場を通過するときに、窓２Ｅが窓２Ｇと対向し（重なり）、瞬間的ではあるが窓２Ｅ，窓２Ｇを通して乗りかご２内に外光が入る。
【００１８】
乗りかご２内には、カメラ２Ａとスピーカ２Ｂとモニタ２Ｃが装備され、カメラ２Ａは窓２Ｅも視野に入るように設置されている。
【００１９】
図２に示すように本実施形態では異常監視装置は、カメラ２Ａ、スピーカ２Ｂ、モニタ２Ｃ、運行制御装置３、画像記録装置４ならびに異常判定装置５を備えている。
【００２０】
また異常判定装置５は、画像解析部５Ａ、異常判定部５Ｂ、異常指令部５Ｃならびに判定許可部５Ｄを備え、各部は図に示すような接続関係になっている。図２では説明上、各部５Ａ〜５Ｄが独立したように表記しているが、実際には異常判定装置５は例えばパソコンなどの１つの情報処理機器からなり、その内部で各部５Ａ〜５Ｄの情報処理がなされる。
【００２１】
次に、乗客が乗りかご２内で暴れるなどの異常行動を起こした場合の異常判定装置５、スピーカ２Ｂ、モニタ２Ｃならびに運行制御装置３の動作について説明する。
【００２２】
運行制御装置３は、乗客が乗りかご２に乗り、乗った階から到着階へ移動する際の乗りかご２の走行や停止などの運行状態を制御し、また、乗った階と到着階でのかごドア２Ｄと乗場ドア２Ｆの開閉動作を制御する。
【００２３】
カメラ２Ａは画像記録装置４と異常判定装置５に接続され、カメラ２Ａで撮影された乗りかご２内の画像は、画像記録装置４で記録されるとともに、異常判定装置５で画像解析される。画像記録装置４に記録された画像は、事後対応などに使用される。
【００２４】
画像解析部５Ａは、カメラ２Ａで撮影された乗りかご２内の乗客の画像データから挙動の正常状態と異常状態を、予め記憶されている各種挙動情報に基づいて判別して、挙動異常であれば挙動異常信号を異常判定部５Ｂへ出力する。
【００２５】
一方、判定許可部５Ｄは、運行制御装置３から入力される乗りかご２の走行位置情報に基づいて、窓２Ｅが窓２Ｇと対向する（重なる）位置を判定し、窓２Ｅが窓２Ｇと少しでも重なり、乗り場から外光が乗りかご２内に進入する可能性がある位置に乗りかご２が来る直前に、異常判定部５Ｂに判定禁止信号を出力する。
【００２６】
異常判定部５Ｂでは、判定禁止信号の入力が有る場合、即ち、窓２Ｅが窓２Ｇと重なって外光による影響が有る場合、画像解析部５Ａからの挙動異常信号をそのまま異常指令部５Ｃへ出力するのを禁止する。
【００２７】
一方、判定禁止信号の入力が無い場合、即ち、窓２Ｅが窓２Ｇとまだ重なっていない判定許可の場合は、画像解析部５Ａからの挙動異常信号が正しいとして（許可して）を異常指令部５Ｃへ出力する。
【００２８】
異常信号を受けた異常指令部５Ｃは、運行制御装置３へ最寄階停止や警告アナウンスの異常指令信号を送信する。この異常指令信号を受信した運行制御装置３は、乗りかご２に対して最寄階に停止するように走行中の乗りかご２を減速させ、最寄階に停止させた後、かごドア２Ｄと乗場ドア２Ｆを開放する。
【００２９】
それと同時に、乗りかご２内のスピーカ２Ｂで挙動異常が発生したため最寄階に停止する旨の警告アナウンスが行われ、乗りかご２内の乗客に対して挙動異常の発生が報知される。
【００３０】
さらに乗りかご２内のモニタ２Ｃに異常が発生した旨を伝える警告画像や乗りかご２内の画像を表示する指令がなされ、予め記憶されている警告画像や乗りかご２内の画像が表示されて、モニタ２Ｃからも乗りかご２内の乗客に対して挙動異常の発生が報知される。
【００３１】
図示していないが、スピーカ２Ｂやモニタ２Ｃを各乗り場にも設置しておき、乗りかご２内と同様にスピーカ２Ｂからの警告アナウンスやモニタ２Ｃによる警告画像もしくは乗りかご２内の画像の表示を行うこともできる。これによって、乗り場で待っている人達に対して、乗りかご２内で乗客の挙動異常が発生していることを報知することができる。
【００３２】
乗りかご２が乗り場付近を走行しているときに、かごドア２Ｄの窓２Ｅが乗場ドア２Ｆの窓２Ｇと重なり、外光が乗りかご２内に進入して、カメラ２Ａによる乗客の挙動判定は難しくなる。しかし、乗りかご２の走行中に窓２Ｅが窓２Ｇと重なる時間は極めて短く、両窓２Ｅ、２Ｇが重ならない位置では外光は進入せず、カメラ２Ａによる挙動判定は適切に行われる。
【００３３】
前記実施形態では乗りかご２の走行位置を検出するためにモータ１Ｃに接続したロータリエンコーダ１Ｆを用いたが、昇降路１の各乗り場付近の乗りかご２と対向する位置に例えば光学センサなどの位置センサをそれぞれ設置して、その位置センサにより乗りかご２の走行位置を検出することも可能である。
【００３４】
前記実施形態のスピーカの代わりに警報ランプなど他の警報手段を設置することも可能である。また、本発明は前述した実施形態に限定されるものではなく、様々な変形例が含まれる。
【００３５】
請求項に記載の乗りかご走行位置検出手段は、前記実施形態ではロータリエンコーダ１Ｆならびにエレベータ運行制御装置３に対応している。画像取得手段は、前記実施形態ではカメラ２Ａに対応している。異常判定手段は、前記実施形態では画像解析部５Ａならびに異常判定部５Ｂに対応している。判定許可手段は、前記実施形態では判定許可部５Ｄに対応している。報知手段は、前記実施形態ではスピーカならびにモニタに対応している。
【００３６】
前述のように本発明は、複雑な構成を必要とせず、従来に比べて安価でかつ確実に異常監視を行うことができる。
【符号の説明】
【００３７】
１  昇降路
１Ｆ  ロータリエンコーダ
２  乗りかご
２Ａ  防犯カメラ
２Ｂ  スピーカ
２Ｃ  モニタ
２Ｄ  かごドア
２Ｅ，２Ｇ  窓  
２Ｆ  乗場ドア
３  エレベータ運行制御装置
４  画像記録装置
５  異常判定装置
５Ａ  画像解析部
５Ｂ  異常判定部
５Ｃ  異常指令部
５Ｄ  判定許可部
【図１】
2015129043.tif 000003
【図２】
2015129043.tif 000004